(57)【要約】【課題】本発明は、防水効果が優れる防水ホルダー及びそれを用いた照明装置を提供することを目的とする。【解決手段】本発明に係る照明装置は、少なくとも１つの貫通孔を有するケース及び前記ケースを覆うカバーからなる第１防水層と、前記ケースの内部に設置される第２防水層とする内防水構造と、前記ケースの底面に固定される複数の固体光源モジュールと、前記内防水構造の内部に設置され、且つ複数の前記固体光源モジュールに電気的に接続されて電力を提供する電源モジュールと、を備える。【選択図】図１
2011238604.tif 000002
【特許請求の範囲】
【請求項１】
少なくとも１つの貫通孔を有するケース及び前記ケースを覆うカバーからなる第１防水層と、
前記ケースの内部に設置される内防水構造からなる第２防水層と、
を備えることを特徴とする防水ホルダー。
【請求項２】
少なくとも１つの貫通孔を有するケース及び前記ケースを覆うカバーからなる第１防水層と、
前記ケースの内部に設置される内防水構造からなる第２防水層と、
前記ケースの底面に固定される複数の固体光源モジュールと、
前記内防水構造の内部に設置され、且つ複数の前記固体光源モジュールに電気的に接続されて電力を提供する電源モジュールと、
を備えることを特徴とする照明装置。
【請求項３】
少なくとも１つの前記貫通孔は、前記ケースの底面に近い前記ケースの１つの端面に設けられることを特徴とする請求項２に記載の照明装置。
【発明の詳細な説明】
【技術分野】
【０００１】
本発明は、防水ホルダー及びそれを用いた照明装置に関するものである。
【背景技術】
【０００２】
屋外に使用される固体光源照明装置にとって、その防水性は非常に重要である。雨水や雪水や川の流動水が防水設計の悪い固体光源照明装置の内部に流れると、電源供給器が短絡して、固体光源照明装置が正常に作動することができない。
【０００３】
従来の技術において、屋外に使用される固体光源照明装置は、ケースのようなただ一層の防水層を有するので、大雨、豪雨又は大雪が降る場合、依然としては防水できなくなり、部分の雨水又は雪解け水が前記ケースの内部に浸透して、電源供給器の短絡を招き、従って、固体光源照明装置が損壊される。
【発明の概要】
【発明が解決しようとする課題】
【０００４】
前記課題を解決するために、本発明は、防水効果が優れる防水ホルダー及びそれを用いた照明装置を提供することを目的とする。
【課題を解決するための手段】
【０００５】
本発明に係る防水ホルダーは、少なくとも１つの貫通孔を有するケース及び前記ケースを覆うカバーからなる第１防水層と、前記ケースの内部に設置される内防水構造からなる第２防水層と、を備える。
【０００６】
本発明に係る照明装置は、少なくとも１つの貫通孔を有するケース及び前記ケースを覆うカバーからなる第１防水層と、前記ケースの内部に設置される内防水構造からなる第２防水層と、前記ケースの底面に固定される複数の固体光源モジュールと、前記内防水構造の内部に設置され、且つ複数の前記固体光源モジュールに電気的に接続されて電力を提供する電源モジュールと、を備える。
【発明の効果】
【０００７】
従来の技術と比べると、本発明に係る防水ホルダー及びそれを用いた照明装置は、ケース及び前記ケースに覆設されるカバーからなる第１防水層と、前記ケースの内部に設けられる内防水構造からなる第２防水層と、を備え、前記第１防水層によって雨水の衝撃を緩衝し、前記第１防水層の内部に浸透した部分の雨水は、前記第２防水層によって止められ、且つ前記ケースの貫通孔から即時に排出されて、前記内防水構造の内部に設置されている前記電源モジュールの雨水による短絡を防止する。
【図面の簡単な説明】
【０００８】
【図１】本発明に係る防水ホルダーの構造を示す図である。
【図２】本発明に係る防水ホルダーと固体光源モジュールとを連接した後の平面図である。
【図３】本発明に係る防水ホルダーと固体光源モジュールとを連接した後の側面図である。
【図４】本発明に係る防水ホルダーと固体光源モジュールとを連接した後の斜視図である。
【図５】本発明に係る照明装置の立体図である。
【発明を実施するための形態】
【０００９】
以下、図面を参照して、本発明の実施例について説明する。
【００１０】
図１乃至図５を参照すると、本発明の実施例に係る照明装置１は、防水ホルダー３０と、前記防水ホルダー３０の内部に収容されている電源モジュール５０と、前記防水ホルダー３０に固定されている複数の固体光源モジュール４０と、を備える。
【００１１】
前記防水ホルダー３０は、直方体状をなし、ケース３０３と、前記ケース３０３の内部に設置されている内防水構造３０２と、前記ケース３０３を覆っているカバー３０４と、を備える。気密と防水との効果を高めるために、前記ケース３０３と前記カバー３０４との間にＯリングを設置することもできる。また、前記防水ホルダー３０の形状は、本実施例の直方体に限定されるものではなく、立方体でもよい。
【００１２】
前記内防水構造３０２は、ゴムやシリカゲルなどの防水材料からなる。
【００１３】
前記ケース３０３の底面には、複数の前記固体光源モジュール４０を固定するための複数のねじ孔（図示せず）が設けられる。前記ケース３０３の長手方向の１つの端面３０１１における前記底面に近い一端の両側には、それぞれ１つの貫通孔３０１２が設けられており、前記貫通孔３０１２は、前記ケース３０３の内部に浸透した雨水を排除して、雨水が前記ケース３０３の内部に溜まることを防止する。前記端面３０１１の中央には、灯柱３０１４を連接するための取付孔３０１３がさらに設けられる。前記灯柱３０１４の一端は、地面に連接され、前記灯柱３０１４の他端は、前記端面３０１１に連接される。
【００１４】
前記カバー３０４は、ファスナ３０３４によって前記ケース３０３に固定されて、防水及び防塵の効用を果たす。
【００１５】
前記固体光源モジュール４０は、前記ケース３０３の底面に固定されており、少なくとも１つの固体光源（図示せず）、基板４０２及び放熱器２０を備える。本実施例において、前記固体光源は、発光ダイオード、有機発光ダイオード或いはレーザーダイオードである。
【００１６】
前記電源モジュール５０は、前記内防水構造３０２の内部に設置され、且つ前記固体光源モジュール４０に電気的に接続されて、前記固体光源モジュール４０に電力を供給する。
【００１７】
本実施例に係る防水ホルダー３０は、前記ケース３０３及び前記カバー３０４からなる第１防水層及び内防水構造３０２からなる第２防水層を有する。前記第１防水層は、雨水の衝撃を緩衝する効果を果たす。雨量が多い場合、ある程度の雨水は依然として前記第１防水層の内部に浸透するが、前記内防水構造３０２は防水材料からなるので、前記第１防水層の内部に浸透した部分の雨水は、前記内防水構造３０２によって止められ、且つ前記ケース３０３の貫通孔３０１２から即時に排出されて、雨水が前記ケース３０３の内部に溜まらない。従って、前記内防水構造３０２の内部に設置されている前記電源モジュール５０の雨水による短絡を防止することができ、且つ前記ケース３０及び前記内防水構造３０２が雨水の酸性によって腐蝕されることも防止する。
【符号の説明】
【００１８】
１  照明装置
２０  放熱器
３０  防水ホルダー
４０  固体光源モジュール
５０  電源モジュール
３０２  内防水構造
３０３  ケース
３０４  カバー
４０２  基板
３０１１  端面
３０１２  貫通孔
３０１３  取付孔
３０１４  灯柱
３０３４  ファスナ
【図１】
2011238604.tif 000003
【図２】
2011238604.tif 000004
【図３】
2011238604.tif 000005
【図４】
2011238604.tif 000006
【図５】
2011238604.tif 000007